(57)【要約】【課題】保守安全性と景観性を備えたエレベータシステムを提供する。【解決手段】エレベータシステムはエレベータの乗りかご３０と、エレベータの乗りかご３０を囲むピット３２と、ピット３２内に配置された制御盤１とを備えている。制御盤１はピット３２内で上下方向に移動自在となっている。ピット３２内への冠水時に、冠水センサ４からの信号により、圧縮ガスカートリッジ２からの圧縮ガスがガスバルブ５を介して浮力チャンバ３内へ供給される。浮力チャンバ３はピット３２内の水により浮上して制御盤１を持ち上げる。【選択図】　図２
2004018168.tif 000002
【特許請求の範囲】
【請求項１】
エレベータの乗りかごと、
前記エレベータの乗りかごを囲むピットと、
前記ピット内に上下方向に移動自在に配置されたエレベータ制御盤とを備え、前記エレベータ制御盤は前記ピット内であって前記エレベータの乗りかごとピット壁面との間に配置され、
前記エレベータ制御盤は駆動機構により前記ピット内で上下方向に移動することを特徴とするエレベータシステム。
【請求項２】
前記制御盤は、上下に移動した際、その一部が前記ピットの上方へ突出することを特徴とする請求項１記載のエレベータシステム。
【請求項３】
前記駆動機構は、前記エレベータ制御盤を案内するガイドと、前記ガイドに沿って移動するとともに、連結材を介して前記エレベータ制御盤に連結されたつり合いおもりと、前記エレベータ制御盤下方に配置された浮力材とを有することを特徴とする請求項１記載のエレベータシステム。
【請求項４】
前記駆動機構は、前記エレベータ制御盤を案内するガイドと、このガイドに沿って移動するとともに、連結材を介して前記エレベータ制御盤に連結されたつり合いおもりと、前記連結材を駆動する駆動部とを有することを特徴とする請求項１記載のエレベータシステム。
【請求項５】
前記駆動機構は、前記エレベータ制御盤を案内するガイドと、このガイドに沿って移動するとともに、連結材を介して前記エレベータ制御盤に連結されたつり合いおもりとを有し、
前記つり合いおもりは前記エレベータ制御盤より重くなっており、連結材をロック装置によりガイドに係止したことを特徴とする請求項１記載のエレベータシステム。
【請求項６】
前記駆動機構は、前記エレベータ制御盤を案内するガイドを有し、
前記エレベータ制御盤は前記ガイド内に摺動自在に保持される支持体を有することを特徴とする請求項１記載のエレベータシステム。
【発明の詳細な説明】
【０００１】
【発明の属する技術分野】
本発明は、ピットに囲まれたエレベータの乗りかごとエレベータ制御盤とを有するエレベータシステムに係り、とりわけエレベータ制御盤の保守性向上及び意匠性向上を目的としたエレベータシステムに関する。
【０００２】
【従来の技術】
機械室レスエレベータシステムはピットに囲まれたエレベータの乗りかごと、エレベータ制御盤とを有している。このうちエレベータ制御盤は、エレベータホールの三方枠内部、昇降路頂部、又はピット内に設置される。そのためエレベータ制御盤を保守点検する場合、エレベータホール、昇降路頂部、又はピット内に作業者が入って保守作業をしている。
【０００３】
【発明が解決しようとする課題】
従来技術において、エレベータ制御盤に関し、各設置場所毎にデメリットがあった。
【０００４】
例えば三方枠内部にエレベータ制御盤を設置する場合は、エレベータホールの意匠性が低下する。一方、昇降路頂部にエレベータ制御盤を設置する場合は、保守安全性の確保や、展望用エレベータでの景観性が低下し、ピット内にエレベータ制御盤を設置する場合は、冠水時の故障回避対策が困難となる。
【０００５】
一方、建築技術の向上及び建築デザインの多用化に伴ない、エレベータシステムに要求される意匠性も多用化してきた。特に展望用エレベータや屋内アナトリスムに設置するエレベータにおいては、建築デザインを損なうエレベータ機器、例えばエレベータ制御盤は、目立たないように配置することを希望する施主や建築デザイナーが多い。
【０００６】
本発明は、このような点を考慮してなされたものであり、ピット内にエレベータ制御盤を設置するとともに、このエレベータに設置する制御盤を冠水時のみ上部に移動させることにより、エレベータにおける景観性の向上、ピット冠水時の故障回避、保守安全性の確保、およびエレベータホールの意匠性向上を図ることができるエレベータシステムを提供することを目的とする。
【０００７】
【課題を解決するための手段】
本発明は、エレベータの乗りかごと、エレベータの乗りかごを囲むピットと、ピット内に上下方向に移動自在に配置されたエレベータ制御盤とを備え、エレベータ制御盤はピット内であってエレベータの乗りかごとピット壁面との間に配置され、エレベータ制御盤は駆動機構によりピット内で上下方向に移動することを特徴とするエレベータシステムである。
【０００８】
本発明は、制御盤は、上下に移動した際、その一部がピットの上方へ突出することを特徴とするエレベータシステムである。
【０００９】
本発明は、駆動機構は、エレベータ制御盤を案内するガイドと、ガイドに沿って移動するとともに、連結材を介してエレベータ制御盤に連結されたつり合いおもりと、エレベータ制御盤下方に配置された浮力材とを有することを特徴とするエレベータシステムである。
【００１０】
本発明は、駆動機構は、エレベータ制御盤を案内するガイドと、ガイドに沿って移動するとともに、連結材を介してエレベータ制御盤に連結されたつり合いおもりと、連結材を駆動する駆動部とを有することを特徴とするエレベータシステムである。
【００１１】
本発明は、駆動機構は、エレベータ制御盤を案内するガイドと、ガイドに沿って移動するとともに、連結材を介してエレベータ制御盤に連結されたつり合いおもりとを有し、つり合いおもりはエレベータ制御盤より重くなっており、連結材をロック装置によりガイドに係止したことを特徴とするエレベータシステムである。
【００１２】
本発明は、駆動機構は、エレベータ制御盤を案内するガイドを有し、エレベータ制御盤はこのガイド内に摺動自在に保持される支持体を有することを特徴とするエレベータシステムである。
【００１３】
【発明の実施の形態】
第１の実施の形態
以下、図面を参照して本発明の実施の形態について説明する。図１（ａ）（ｂ）および図２（ａ）（ｂ）は、本発明によるエレベータシステムの第１の実施の形態を示す図である。
【００１４】
このうち、図１（ａ）はエレベータシステムが設置された建物の１階部分を示す平面図であり、図１（ｂ）は図１（ａ）のＢ−Ｂ線矢視図である。
【００１５】
図１（ａ）（ｂ）において、エレベータシステムは、乗りかご用レール３１に沿って昇降する乗りかご３０と、乗りかご３０に連結されつり合いおもりレール３４に沿って昇降するつり合いおもり３３とを備えている。
【００１６】
乗りかご３０はピット３２に囲まれており、このピット３２内には乗りかご３０を駆動制御するためのエレベータ制御盤１が配置されている。エレベータ制御盤１はピット３２内であって、乗りかご３０とピット３２の壁面との間に配置されている。
【００１７】
また乗りかご３０へは入口３５を介して乗り降りすることができる。
【００１８】
図１（ａ）（ｂ）に示すように、建物の１階部分へは階段４１により上り下りすることができ、この１階部分は屋内テラスとなっている。そしてこの屋内テラスに複数のオブジェ３７ａ，３７ｂ，３７ｃ，３７ｄ，３７ｅ，３７ｆが配置されている。
【００１９】
さらに乗りかご３０を囲むピット３２の外周には、ピット３２との間で池３８を形成する外周ピット３６が設けられ、この池３８内には複数の噴水３９が配置されている。
【００２０】
次に図２（ａ）（ｂ）により、エレベータ制御盤１について説明する。図２（ａ）（ｂ）に示すように、エレベータ制御盤１は連結部２１を介して取付けられた支持材１ａを有し、ピット３２内に配置されるとともに、ピット３２内においてガイド７に沿って上下方向に移動可能となっている。
【００２１】
またエレベータ制御盤１の下方には、浮力チャンバ３が配置されるとともに、この浮力チャンバ３には冠水センサ４が取付けられている。
【００２２】
浮力チャンバ３は、通常時は収縮しており（図２（ａ））、ピット３２内に水８が入って冠水した場合、冠水センサ４がピット３２内の冠水を検知するようになっている。また浮力チャンバ３にはガスバルブ５を介して圧縮ガスカートリッジ２が接続されており、冠水センサ４がピット３２内の冠水を検知すると、冠水センサ４からの信号によりガスバルブ５が開となり、圧縮ガスカートリッジ２から供給される圧縮ガス（例えば二酸化炭素ガス）により浮力チャンバ３が膨脹するようになっている（図２（ｂ））。
【００２３】
これらガイド７、浮力チャンバ３、圧縮ガスカートリッジ２、および冠水センサ４によりエレベータ制御盤１の駆動機構が構成される。
【００２４】
次にこのような構成からなる本発明の形態の作用について説明する。まず通常時は浮力チャンバ３は収縮し、制御盤１はピット３２内において降下している（図２（ａ））。このため制御盤１を外方から確認することはむずかしく、エレベータシステムの意匠性を高めている。
【００２５】
次にピット３２内へ水が入って冠水した場合、冠水センサ４がピット３２内の冠水を検知し、冠水センサ４からの信号に基づいてガスバルブ５が開となる（図２（ｂ））。この場合、圧縮ガスカートリッジ２から浮力チャンバ３内へ圧縮ガスが供給される。次に、この圧縮ガスにより浮力チャンバ３が膨脹し、ピット３２内の水８により浮力チャンバ３が浮上して制御盤１を持上げる。この間、制御盤１はガイド７に沿って上昇し、制御盤１の支持体１ａはガイド７内で摺動しながら保持される。
【００２６】
このため、ピット３２への冠水時に制御盤１が浸水したりこれにより制御盤１が故障することはない。
【００２７】
この状態において、制御盤１はピット３２の上方に突出し、冠水を回避することができる。また外部から制御盤１の保守点検が可能となる。また浮力チャンバ３に取付けられた冠水センサ４は浮力チャンバ３の浮上を検知してガスバルブ５を閉とし、圧縮ガスカートリッジ２から浮力チャンバ３への圧縮ガスの供給を停止する。
【００２８】
次にピット３２内の水８が排出された場合、浮力チャンバ３および制御盤１が降下する。
【００２９】
次に監視室から入力される入力信号または現場で入力される入力信号によりガスバルブ５を作動させることにより、浮力チャンバ３内の圧縮ガスがガスバルブ５から放出され、浮力チャンバ３はもとの状態にもどる。
【００３０】
第２の実施の形態
次に図３（ａ）（ｂ）により本発明の第２の実施の形態について説明する。
【００３１】
図３（ａ）（ｂ）に示す第２の実施の形態は、浮力チャンバ３を設ける代わりに、制御盤１の下方に空圧ジャッキ１０を設けたものであり、他は図１（ａ）（ｂ）および図２（ａ）（ｂ）に示す第１の実施の形態と略同一である。
【００３２】
図３（ａ）（ｂ）において、図１（ａ）（ｂ）および図２（ａ）（ｂ）に示す第１の実施の形態と同一部には同一符号を符して詳細な説明は省略する。
【００３３】
図３（ａ）（ｂ）において、制御盤１の下方に空圧ジャッキ１０が設けられ、この空圧ジャッキ１０には冠水センサ４が取付けられている。
【００３４】
また空圧ジャッキ１０には、ガスバルブ５を介して圧縮ガスカートリッジ２が設置されている。
【００３５】
図３（ａ）において、まず空圧ジャッキ１０は収縮し、制御盤１はピット３２内において降下している。次にピット３２内に水が入って冠水した場合、冠水センサ４からの信号に基づいて、ガスバルブ５が開となる。ガスバルブ５が開となると、圧縮ガスカートリッジ２からの圧縮ガスが空圧ジャッキ１０内へ供給され、空圧ジャッキ１０が膨張して制御盤１をガイド７に沿って持上げる（図３（ｂ））。
【００３６】
図３（ｂ）に示すように、空圧ジャッキ１０はピット３２の底面と制御盤１の下面とに当接し、制御盤１を上方へ持上げるようになっている。
【００３７】
なお、図３（ａ）において、冠水センサ４からの信号によりガスバルブ５を開とする例を示したが、例えばピット３２内への冠水を予め予想できるときは、監視室から入力される入力信号または現場で入力される入力信号に基づいてガスバルブ５を開として、圧縮ガスカートリッジ２からの圧縮ガスを空圧ジャッキ１０内へ供給しても良い。さらにまた、制御盤１の保守点検を行う場合も、ガスバルブ５を開として空圧ジャッキ１０を膨張させ、制御盤１を上方へ持上げて外部から保守点検してもよい。
【００３８】
空圧ジャッキ１０が膨張した後、冠水センサ４からの信号、または監視室あるいは現場における入力信号に基づいてガスバルブ５が閉となり、圧縮ガスカートリッジ２からの圧縮ガスの供給は停止する。
【００３９】
その後、監視室または現場で入力される入力信号に基づいて、ガスバルブ５が作動して空圧ジャッキ１０内の圧縮ガスが、ガスバルブ５から放出され、空圧ジャッキ１０は収縮してもとの状態に戻る（図３（ａ））。
【００４０】
第３の実施の形態
次に図４（ａ）（ｂ）により、本発明の第３の実施の形態について説明する。
【００４１】
図４（ａ）（ｂ）に示す第３の実施の形態は、制御盤１に連結材（連結ロープ）１４ａを介してつり合いおもり１５を連結するとともに、この連結材１４ａをガイド７の上端に設けられた滑車１４に掛け渡したものである。
【００４２】
また制御盤１の下方には、水８に浮く浮力材１３が固定されている。
【００４３】
他の構成は図１（ａ）（ｂ）および図２（ａ）（ｂ）に示す第１の実施の形態を略同一である。図４（ａ）（ｂ）において、図１（ａ）（ｂ）に示す第１の実施の形態と同一部分には同一符号を符して詳細な説明は省略する。
【００４４】
まず通常時、図４（ａ）に示すように、制御盤１はその自重がつり合いおもり１５の重さより重くなっているので、ピット３２内において下方へ降下している。
【００４５】
次に図４（ｂ）に示すように、水８がピット３２内へ入って冠水した場合、浮力材１３が水８により浮上し、制御盤１はガイド７に沿って上方へ持ち上げられる。
【００４６】
その後、水８がピット３２から排出された場合、浮力材１３および制御盤１がピット３２内に降下して元の位置までもどる（図４（ａ））。
【００４７】
本実施の形態によれば、制御盤１はつり合いおもり１５により常に上方へ力が加わることになるので、水８がピット３２内へ入った場合、浮力材１３の浮力により制御盤１をスムーズに上方へ持上げることができる。
【００４８】
第４の実施の形態
次に図５（ａ）（ｂ）に示す第４の実施の形態について説明する。
【００４９】
図５（ａ）（ｂ）に示す第４の実施の形態は、制御盤１の下方から浮力チャンバ１３を取除くとともに、ガイド７の上端に滑車１４の代わりに駆動プーリ１６を取付けたものである。
【００５０】
他の構成に図４（ａ）（ｂ）に示す第３の実施の形態と略同一である。
【００５１】
図５（ａ）（ｂ）において、図４（ａ）（ｂ）に示す第３の実施の形態と同一部分には同一符号を符して詳細な説明は省略する。
【００５２】
通常時、図５（ａ）に示すように、制御盤１はピット３２内の下方へ降下している。ピット３２内へ水が入って冠水した場合、冠水センサ４からの信号に基づいて駆動プーリ１６が作動し、駆動プーリ１６により連結材（連結チェン）１６ａが駆動されて制御盤１がガイド７に沿って上方へ持上げられる（図５（ｂ））。
【００５３】
なお、本実施の形態において、冠水センサ４からの信号により駆動プーリ１６を作動させる例を示したが、これに限らず、監視室または現場で入力される入力信号に基づいて駆動プーリ１６を作動させてもよい。
【００５４】
その後、ピット３２内の水が排出された場合、冠水センサ４からの信号、または監視室または現場における入力信号に基づいて、駆動プーリ１６を逆転させる。このようにして制御盤１をピット３２内で降下させ、元の位置まで復帰させる。
【００５５】
第５の実施の形態
次に図６（ａ）（ｂ）により、本発明の第５の実施の形態について説明する。
【００５６】
図６（ａ）（ｂ）に示す第５の実施の形態は、制御盤１の下方から浮力チャンバ１３を取除くとともに、つり合いおもり１５として制御盤１より重いものを設けたものである。
【００５７】
他の構成は図４（ａ）（ｂ）に示す第３の実施の形態と略同一である。
【００５８】
図６（ａ）（ｂ）において、図４（ａ）（ｂ）に示す第３の実施の形態と同一部分には同一符号を符して詳細な説明は省略する。
【００５９】
通常時、制御盤１はピット３２内の下方へ降下している（図６（ａ））。この場合、つり合いおもり１５は制御盤１より重くなっているので、制御盤１は上方へ持上がろうとするが、制御盤１とつり合いおもり１５との間に連結された連結材（連結ロープ）１４ａがロック装置１８によりロックされているため制御盤１はピット３２内の下方位置に保持される。
【００６０】
ピット３２内に水が入って冠水した場合、冠水フロート１７からの信号によりロック装置１８が作動して連結材１４ａを解除する。このことによりつり合いおもり１５の荷重により制御盤１がピット３２内に上昇する。
【００６１】
なお、冠水フロート１７からの信号によりロック装置１８を解除する例を示したが、監視室または現場で入力される入力信号に基づいて、ロック装置１８を解除して制御盤１を持上げてもよい。
【００６２】
第６の実施の形態
次に図７（ａ）（ｂ）（ｃ）により、本発明の第６の実施の形態について説明する。
【００６３】
図７（ａ）（ｂ）（ｃ）に示す第６の実施の形態は、制御盤１の側方に連結部２１を介して支持材１ａを設けるとともに、この支持材１ａをガイド７内で摺動自在に保持したものであり、制御盤１の支持材１ａは制御盤１の上方へ突出して延びている。
【００６４】
このためガイド７内に支持材１ａを安定して保持することができる。すなわち、図７（ａ）（ｂ）に示すように、制御盤１の支持材１ａは、制御盤１の底面から上面に沿って、制御盤１の高さ方向全長に渡って延びている。このためガイド７内に挿入される支持材１ａの長さを大きくすることができ、このことによりガイド７内に支持材１ａを安定して保持することができる。
【００６５】
図７（ａ）（ｂ）（ｃ）において、図７（ａ）は制御盤１がピット３２内に降下した状態を示し、図７（ｂ）は制御盤１がピット３２内に上昇した状態を示す。また図７（ｃ）は図７（ａ）のＣ線方向矢視図である。
【００６６】
図７（ａ）（ｂ）（ｃ）はガイド７と支持材１ａとの組合せのみを示すものであり、図７（ａ）（ｂ）（ｃ）に示すガイド７と支持材１ａの組合せは上述した第１の実施の形態〜第５の実施例のいずれかに適用して用いられる。
【００６７】
【発明の効果】
上記説明したように、本発明によればエレベータシステムのピット内へ水が浸水する冠水時又は冠水が想定される場合のみ、ピット内に設置された制御盤を上昇させることができる。このためエレベータシステムの景観性の向上を図ることができるとともに、ピット内への冠水時における制御盤の故障回避を図り、ピット内に設置された制御盤の点検を容易に行うことができる。これにより保守安全性と景観性を向上させたエレベータシステムを提供することができる。
【図面の簡単な説明】
【図１】本発明によるエレベータシステムの第１の実施例を示す概略図。
【図２】本発明によるエレベータシステムの第１の実施の形態による制御盤の駆動機構を示す図。
【図３】本発明によるエレベータシステムの第２の実施の形態による制御盤の駆動機構を示す図。
【図４】本発明によるエレベータシステムの第３の実施の形態による制御盤の駆動機構を示す図。
【図５】本発明によるエレベータシステムの第４の実施の形態による制御盤の駆動機構を示す図。
【図６】本発明によるエレベータシステムの第５の実施の形態による制御盤の駆動機構を示す図。
【図７】本発明によるエレベータシステムの第６の実施の形態による制御盤の駆動機構を示す図。
【符号の説明】
１　エレベータ制御盤
１ａ　支持材
２　圧縮ガスカートリッジ
３　浮力チャンバ
４　冠水センサ
５　ガスバルブ
７　ガイド
１０　空圧ジャッキ
１３　浮力材
１４　滑車
１５　つり合いおもり
１６　動力プーリ
１７　冠水フロート
１８　ロック装置
【図１】
2004018168.tif 000003
【図２】
2004018168.tif 000004
【図３】
2004018168.tif 000005
【図４】
2004018168.tif 000006
【図５】
2004018168.tif 000007
【図６】
2004018168.tif 000008
【図７】
2004018168.tif 000009